(57)【特許請求の範囲】
【請求項１】
カードの払い出しが可能な隙間を設け互いに対峙するように一対のプレートを配設し、該一対のプレートのうち、いずれか一方、あるいは双方をスライド支承手段を介し前記隙間が拡大する方向へスライド自在に支承させるとともに、前記スライド支承手段を前記スライドするプレートを案内するガイド部材と、前記スライドするプレートを前記隙間が小さくなる方向へ常時付勢する付勢手段とから構成するようにしたことを特徴とするカード自動販売機のカード払出口装置。
【請求項２】
前記スライドするプレートには、該スライドするプレートの所定ストローク以上のスライドを検出する異物検出手段が配設されていることを特徴とする請求項(1)記載のカード自動販売機のカード払出口装置。
【発明の詳細な説明】
【０００１】
【発明の属する技術分野】
この発明は、テレホンカード等のカードを販売するカード自動販売機に関し、特に販売されたカードを払い出すカード払出口装置の改良に関する。
【０００２】
【従来の技術】
テレホンカード等のプリペイドカード（以下単にカードと言う）を販売するカード自動販売機では、投入された金額に対応したカードをカード自動販売機内に配置されたカード払出装置を介し、カード自動販売機の筐体に形成されたカード払出口から払い出すようにしている。
【０００３】
一方、この従来のカード払出口はカード一枚を払い出すのに十分な隙間を設けた単なるスリットにより構成されており、このカード払出口を構成するスリットからカードを所定距離排出した後、購買者はそのカードをカード払出口から引き抜いて取り出すようにしている。
【０００４】
【発明が解決しようとする課題】
ところで、上述した単なるスリットにより構成された従来のカード払出口によると、例えば悪戯により爪楊枝等の異物がカード払出口に挿入されると、カード払出口が詰まりカードが払い出せなくなる難点がある。
【０００５】
またこのような爪楊枝等の異物がカード払出口に詰まると、それを検出してカード自動販売機のカード販売を停止させるようなものにあっては、その都度サービスマンを呼んで異物を取り除き、カード自動販売機の再販売を開始させる等の点検作業を行わねばならずカード自動販売機の保守点検作業が煩雑である難点もあった。
【０００６】
この発明は上述した事情に鑑み、異物が詰まってもカードの払出が可能なカード自動販売機のカード払出口装置を提供することを目的とする。
【０００７】
【課題を解決するための手段】
上述した課題を解決するため、この発明では、カードの払い出しが可能な隙間を設け互いに対峙するように一対のプレートを配設し、該一対のプレートのうち、いずれか一方、あるいは双方をスライド支承手段を介し前記隙間が拡大する方向へスライド自在に支承させるとともに、前記スライド支承手段を前記スライドするプレートを案内するガイド部材と、前記スライドするプレートを前記隙間が小さくなる方向へ常時付勢する付勢手段とから構成するようにしている。
【０００８】
【発明の実施の形態】
以下、この発明に係わるカード払出口装置の一実施例を詳述する。
【０００９】
図１はこの発明に係わるカード払出口装置１を装着したカード自動販売機２の概念断面図である。
【００１０】
このカード自動販売機２も従来と同様に、正面が軸３を介し拡開自在に支承された扉４を有する筐体５により構成されており、その内部には紙幣投入口６を介し投入された紙幣の真偽を判別し、真券を収容する紙幣処理装置７が配設されている。
【００１１】
一方、筐体５の下方には、投入紙幣の金額に対応したテレホンカードを払い出すカード払出装置５が配設され、その正面５ａに対向する位置の扉４には、本願発明に係わるカード払出口装置１が配設されている。
【００１２】
このカード払出装置１は、その要部破断拡大断面図で示す図２ように、払い出すカードの板厚ｔよりも若干大きい隙間Ｔ（ｔ＜Ｔ＜２ｔ）を設けて上下方向に互いに対峙して配設された一対のプレート１０、１１から構成されている。
【００１３】
また、この一対のプレート１０、１１のうち、プレート１０は、後述するスライド支承手段２０を介し、上述した隙間Ｔが拡大する方向へスライド自在に支承されている。なお、他方のプレート１１は、扉４に形成された開口４ａの下方を覆うように当該扉４に固着されている。
【００１４】
一方、上述したスライド支承手段２０は図２のＡＡ破断面図で示す図３のように、プレート１０の両側１０ａ、１０ｂを上下方向にスライド自在に支承するガイド溝２１、２２と、プレート１０の上端左側方から延設されたアーム２３と扉４の背面に突設された突起４ｂとにそれぞれ係合し、プレート１０を常時プレート１１側へ付勢するコイルバネ２４とにより構成されている。
【００１５】
次に上述したカード払出口装置１の作用を説明する。
【００１６】
図２と同一部分を同一符号で示す図４のように、カード払出口装置１を構成する一対のプレート１０、１１間に爪楊枝等の異物３０が挿入されると、プレート１０がその挿入圧力に応じて矢印Ｂで示すように上動し、この一対のプレート１０、１１間に異物３０を挟持する。その際に、この異物を挟持する挟持圧力は図３に示すスライド支承手段２０を構成するコイルバネ２４の付勢力に依存しているから、その挟持圧力はそれほど大きくはない。
【００１７】
従って、図５で示すように、カード払出装置５のカード払出シュート５ａを介しカード４０がカード払出口装置１へ排出されると、その先端４０ａが異物３０に当接し、当該異物３０に対しカード排出圧力を加えるのでプレート１０も若干矢印Ｂのように上動し、このため異物３０の挟持圧力がさらに小さくなって当該異物３０は上下プレート１０、１１間に止まることができず、図６で示すように、カード４０の排出力によりカード払出口装置１から下方へ落下して取り除かれることとなる。
【００１８】
従って、異物３０が取り除かれることから、カード４０はカード払出口装置１から正常に払い出されることとなる。
【００１９】
なお、上記実施例では、爪楊枝等の小さな異物３０が詰まった場合、つまり一対のプレート１０、１１間で挟持できる程度の大きさの異物が詰められた場合について詳述したが、図２に示す扉４に形成された開口４ａの開口幅Ｗに近いような大きな異物が当該開口４ａに詰められる等の悪戯がなされた場合は、それを適確に検出することができる異物検出手段を本願発明のカード払出口装置１に適用することも勿論可能である。
【００２０】
図７は上述した異物検出手段５０を適用したカード払出口装置１の要部破断面図で図２と同一部分を同一符号で示す。
【００２１】
この、異物検出手段５０は昇降する一方のプレート１０に連動し、軸５１を中心に回動するレバー５２と、このレバー５２によりＯＮ・ＯＦＦ操作されるリミットスイッチ５３とから構成され、上述したプレート１０の上端には、前記レバー５２の一端に突設された突起５２ａが係合するガイド溝５４ａが形成されたＬ字形プレート５４が連設されている。
【００２２】
なお、上述したレバー５２とリミットスイッチ５３は、扉４の背面に固着されたアーム５５、５６にそれぞれ支承されている。
【００２３】
上述した異物検出手段５０によると、図７で示すように、プレート１０がプレート１１側へ押し付けられ、それによりプレート１０とプレート１１との間に隙間Ｔを形成する初期位置では、レバー５２は軸５１を中心に時計方向へ回転し、それによりリミットスイッチ５３の操作レバー５３ａを押圧して、スイッチ端子５３ｂを押し込めてスイッチＯＮ状態にしている。
【００２４】
なお、上述したプレート１０にも、図３で示すスライド支承手段２０が配設されていることは言うまでもない。
【００２５】
次に、上述した異物検出手段５０の作用を詳述する。
【００２６】
図７と同一部分を同一符号で示す図８のように、カード払出口装置１を構成する一対のプレート１０、１１間に爪楊枝等の異物３０が挿入されると、プレート１０がその挿入圧力に応じて矢印Ｂで示すように上動し、この一対のプレート１０、１１間に異物３０を挟持する。
【００２７】
その際、プレート１０は上動してレバー５２を軸５１を中心に反時計方向へ所定の回転角度回転させ、それによりリミットスイッチ５３の操作レバー５３ａの押圧を若干解除するが、この場合はスイッチ端子５３ｂの完全な押し込みを解除してスイッチＯＮの状態を解除するには至らない。
【００２８】
即ち、図８に示す状態では異物検出手段５０は異物検出信号を発生せず、このためカード払出装置５は駆動し続け、図６と同様に排出されるカードにより異物３０が押し出されることとなる。
【００２９】
一方、図７と同一部分を同一符号で示す図９のように、扉４に形成された開口４ａの開口幅Ｗに近いような大きな異物６０が当該開口４ａに詰められると、プレート１０は矢印Ｂのように大きなストローク上動してレバー５２を軸５１を中心に反時計方向へ大きく回転させ、それによりリミットスイッチ５３の操作レバー５３ａの押圧を完全に解除する。
【００３０】
このように、レバー５２による操作レバー５３ａの押圧を完全に解除すると、リミットスイッチ５３のスイッチ端子５３ｂの押し込みが完全に解除しされてスイッチＯＦＦ状態なり、このため異物検出手段５０は異物検出信号を発生して、カード払出装置５の駆動を停止させ、サービスマン等へ保守点検作業を要求する状態となる。
【００３１】
従って、上述した異物検出手段５０によると、図８で示す爪楊枝等の小さな異物３０が詰まった場合、つまり一対のプレート１０、１１間で挟持できる程度の大きさの異物が詰められた場合は、通常のカード払出動作が維持され、また図９で示す扉４に形成された開口４ａの開口幅Ｗに近いような大きな異物が当該開口４ａに詰められる等の悪戯がなされた場合に、それを適確に検出して、異常を知らせることができることとなる。
【００３２】
なお、上記実施例では一対のプレート１０、１１のうち、一方のプレート１０をスライド自在に支承させるようにしたが、この発明は上記実施例に限定されることなく、一対のプレート１０、１１のうち、他方のプレート１１をスライド自在に支承させるようにしてもよく、また双方のプレート１０、１１を互いに離間するようにスライド自在に支承させるようにしても良い。なお、これらの場合も、スライドする側のプレートにスライド支承手段２０を配設することは言うまでもない。
【００３３】
また上記実施例では、異物検出手段５０を、プレート１０に連動し、軸５１を中心に回動するレバー５２と、このレバー５２によりＯＮ・ＯＦＦ操作されるリミットスイッチ５３とから構成するようにしたが、この発明は上記実施例に限定されることなく、プレート１０に連設されたＬ字形プレート５４の所定ストローク以上の上動を検出するフォトセンサーにより構成しても良い。
【００３４】
【発明の効果】
以上説明したように、この発明のカード払出口装置では、隙間を設け互いに対峙するように配設された一対のプレートのうち、いずれか一方、あるいは双方を前記隙間が拡大する方向へスライド自在に支承させるようにしたから、爪楊枝等の異物が詰められる等の悪戯がされても、その異物を払出カードの払出圧力によって、カードの払出作業とともに簡単に払い出すことでき、このため悪戯によるカード詰まりを可及的に解消することができる。
【００３５】
また爪楊枝等の異物がカード払出口に詰まると、それを検出してカード自動販売機のカード販売を停止させるような従来のものと比較して、その都度サービスマンを呼んで異物を取り除き、カード自動販売機の再販売を開始させる等の点検作業を行う必要もないから、保守点検作業が少なくランニングコストが低いカード自動販売機を提供することができる。
【図面の簡単な説明】
【図１】図１はこの発明に係わるカード払出口装置を装着したカード自動販売機の概念断面図。
【図２】図２は、図１の要部破断拡大断面図。
【図３】図３は図２のＡＡ断面図。
【図４】図４はこの発明に係わるカード払出口装置の作用を説明するカード自動販売機の要部破断拡大断面図。
【図５】図５はこの発明に係わるカード払出口装置の作用を説明するカード自動販売機の要部破断拡大断面図。
【図６】図６はこの発明に係わるカード払出口装置の作用を説明するカード自動販売機の要部破断拡大断面図。
【図７】図７はこの発明に係わるカード払出口装置に異物検出手段を装着した状態を示す要部破断拡大断面図。
【図８】図８は異物検出手段の作用を示す要部破断拡大断面図。
【図９】図９は異物検出手段の作用を示す要部破断拡大断面図。
【符号の説明】
１０、１１…プレート
２０…スライド支承手段
２１、２２…ガイド部材
２４…付勢手段
５０…異物検出手段
Ｔ…隙間
【図１】
0003745525.tif 000002
【図２】
0003745525.tif 000003
【図３】
0003745525.tif 000004
【図４】
0003745525.tif 000005
【図５】
0003745525.tif 000006
【図６】
0003745525.tif 000007
【図７】
0003745525.tif 000008
【図８】
0003745525.tif 000009
【図９】
0003745525.tif 000010